(57)【特許請求の範囲】
【請求項１】
底および外周壁を有する容器を備えた、ごみ、特におむつ等のための廃棄物装置であって、前記容器は前記底から離れた端部に容器開口部を有し、当該廃棄物は、臭気の放出が妨げられるように容器開口部を実質的に閉じるために前記容器開口部の近くに配置された閉鎖手段を備え、
前記閉鎖手段は、
当該廃棄物装置の内部に設けられ、前記容器の内部に面するドラム開口部を有するドラムハウジングと、
前記ドラムハウジングの内面に少なくとも部分的に密接に連結された外面を有するドラム本体とを含み、
前記ドラム本体は廃棄物のための搬送容器を有し、前記搬送容器はその外部表面から内向きに延びており、前記ドラム本体は、廃棄物を前記搬送容器に入れる挿入位置と前記搬送容器が前記ドラム開口部に位置合わせされる通過位置との間で回動可能であり、
前記ドラムハウジングのドラム開口部の周縁の周りに広がる可撓性密閉部材をさらに含み、
前記密閉部材は、軸方向の断面で見た場合、径方向外側に配置され前記ドラムハウジングに連結される連結部を備え、
前記密閉部材は、前記連結部に連結された密閉部を備え、前記密閉部は前記連結部から径方向内側に延びており、実質的に臭いがしない方法で前記容器の開口部を密閉するために前記ドラム本体の外面に密閉接触することができ、
前記密閉部材の移動自在の自由端が形成されるように、前記連結部から離れた密閉部の端部は前記ドラムハウジングに連結されておらず、
前記連結部は、前記ドラムハウジングに、軸方向に、移動可能に連結されることを特徴とする、廃棄物装置。
【請求項２】
前記連結部が前記ドラムハウジングの溝に摺動可能に収容されることを特徴とする、請求項１に記載の廃棄物装置。
【請求項３】
前記密閉部は、前記連結部から前記容器の底に向かって径方向内側に延び、前記密閉部はさらに、前記容器の底から離れる方向に径方向内側に延び続けることを特徴とする、請求項１または２に記載の廃棄物装置。
【請求項４】
前記通過位置において前記ドラム本体が重力の影響下で密閉部材に押圧されるように、前記ドラム本体は前記ドラムハウジングに摺動可能に連結されることを特徴とする、請求項１から３のいずれかに記載の廃棄物装置。
【請求項５】
前記ドラム本体は実質的に球形であり、前記ドラムハウジングの内面は実質的に相補的な形状であり、前記ドラム開口部の外縁は実質的に円形であり、前記密閉部材は、前記ドラム本体の実質的に球形の外面と係合する実質的に環状の密閉部を有する円環であることを特徴とする、請求項１から４のいずれかに記載の廃棄物装置。
【請求項６】
前記ドラム本体は少なくとも前記挿入位置において前記密閉部材に押圧されるように成形され、例えば、前記ドラム本体が完全に球状ではない形状を有する、および／または前記ドラムハウジングの内面が前記ドラム本体に対して完全に相補的でない形状を有する、および／または前記ドラム本体が前記ドラムハウジングに中心から外れた方法で連結されることを特徴とする、請求項５に記載の廃棄物装置。
【請求項７】
当該廃棄物装置はさらに前記容器上に収容されるように配置された蓋を含み、前記蓋は、前記容器に廃棄物を供給するための蓋開口部を含み、前記ドラムハウジングは、前記蓋が前記容器上に配置されたとき、少なくとも部分的に前記ドラム本体を囲み、前記搬送容器は前記挿入位置において前記蓋開口部と位置合わせされることを特徴とする、請求項１から６のいずれかに記載の廃棄物装置。
【請求項８】
前記廃棄物装置は、袋状容器を前記ドラム開口部に位置合わせするための袋ホルダ手段をさらに含むことを特徴とする、請求項１から７のいずれかに記載の廃棄物装置。
【請求項９】
前記袋ホルダ手段は、ホルダ開口部を有するホルダハウジングを含み、前記ホルダハウジングは前記容器に連結され、前記ホルダ開口部は、前記ドラム開口部と位置合わせされる、ことを特徴とする、請求項８に記載の廃棄物装置。
【請求項１０】
前記ドラム開口部は、前記ドラム開口部から前記容器の底に向かって延びる壁を含み、前記壁は、前記ホルダ開口部によって形成されるホルダの縁に係合することを特徴とする、請求項９に記載の廃棄物装置。
【発明の詳細な説明】
【技術分野】
【０００１】
本発明は、ごみに関連付けられた臭気の周囲への放出を最小限にするために廃棄物容器が配置された、請求項１のプリアンブルに記載の、ごみ、特におむつのための廃棄物装置に関する。
【背景技術】
【０００２】
このような廃棄物容器は一般に知られている。特定の実施の形態では、廃棄物容器は、おむつバケツ（ペール）である。従来のおむつバケツは典型的には、廃棄袋を保持するバケツ部分とバケツの上部に取り付けられた容器アセンブリとを含み、容器アセンブリは、既に廃棄袋内にある以前に廃棄されたおむつからの臭気の放出を最小限に抑えながら、汚れたおむつを受け取り、その汚れたおむつを廃棄袋に転送するように構成される。
【発明の概要】
【発明が解決しようとする課題】
【０００３】
先行技術の様々な容器アセンブリは、内部廃棄袋と連通する開口を有するハウジング内に回転ドラムを有する。ドラムは汚れたおむつを受け取るための開口部を有する。おむつを処分するために、ドラムを回転させ、ドラム開口部をハウジング内の上部開口部に位置合わせする。ドラム内の開口部におむつが受け取られると、ドラム開口部が下側開口部に位置合わせされ、おむつが廃棄袋に落下できるようにドラムは回転される。これらのタイプのおむつバケツは比較的良好な商業的成功を収めてきたが、既存の設計ではまだ効率的に臭気の漏れが防止されないことが判明した。ハウジングの周囲と、上側容器アセンブリと下側バケツの間とにシールを提供することは困難な作業ではない。なぜなら、これらの構成要素は通常の使用中に互いに相対的に移動せず、シールが圧縮時にだけ装着されるが、この構成は複数のシール及び追加の関連部品を必要とせず、さらなるコストおよび複雑さを要求しないからである。他方、可動部品間に実質的に気密シールを提供することは、簡単ではなく、シールを提供するのが最も困難な場所は、ドラムの移動面とドラムハウジングの下半分との間である。
【０００４】
本発明者のＵＳ２０１０３０１０５０Ａ１は、改良されたプラスチック製の環状シールを有する、おむつバケツを提供することを試みた。このシールは、ドラムハウジングに連結された外側径方向部分と内側径方向部分を備え、外側径方向部分と内側径方向部分の間に延びる可動部分を有する。
【０００５】
ＵＳ２０１０３０１０５０Ａ１に開示されたおむつバケツは改善された結果を提供したが、臭気制御はまだ改善することができると考えられる。
【０００６】
したがって、従来技術の前述の欠点の少なくとも一つを克服する、おむつに特に適した改良された廃棄物容器を提供することを本発明の目的とする。特に、改善された臭気制御を提供し、および／または容易に洗浄可能である、改良された廃棄物容器を提供することを本発明の目的とする。
【０００７】
なお、以下の廃棄物容器は、主におむつのために適しているものとして説明されることに留意すべきであるが、廃棄物容器は、（一時的な）保管と同時に臭気制御を有することが重要である、すべての商品の種類または廃棄物等に用いることができることが理解されるべきである。
【課題を解決するための手段】
【０００８】
この目的のために、本発明は、ごみ、特におむつ等のための前述の種類の廃棄物装置を提供することである。この廃棄物装置は、請求項１の特徴部分に記載されている。
【０００９】
本発明に係る廃棄物装置は、底および外周壁を有する容器を備え、前記容器は前記底から離れた端部に容器開口部を有し、当該廃棄物は、臭気の放出が妨げられるように容器開口部を実質的に閉じるために前記容器開口部の近くに配置された閉鎖手段を備える。前記閉鎖手段は、
当該廃棄物装置の内部に設けられ、前記容器の内部に面するドラム開口部を有するドラムハウジングと、
前記ドラムハウジングの内面に少なくとも部分的に密接に連結された外面を有するドラム本体とを含み、
前記ドラム本体は廃棄物のための搬送容器を有し、前記搬送容器はその外部表面から内向きに延びており、前記ドラム本体は、廃棄物を前記搬送容器に入れる挿入位置と前記搬送容器が前記ドラム開口部に位置合わせされる通過位置との間で回動可能であり、
前記ドラムハウジングのドラム開口部の周縁の周りに広がる可撓性密閉部材をさらに含み、
前記密閉部材は、軸方向の断面で見た場合、径方向外側に配置され前記ドラムハウジングに連結される連結部を備え、
前記密閉部材は、前記連結部に連結された密閉部を備え、前記密閉部は前記連結部から径方向内側に延びており、実質的に臭いがしない方法で前記容器の開口部を密閉するために前記ドラム本体の外面に密閉接触することができる。
【００１０】
本発明によれば、前記密閉部材の移動自在の自由端が形成されるように、前記連結部から離れた密閉部の端部は前記ドラムハウジングに連結されていない。密閉部が連結部に連結された曲がりやすい部分であるという事実のゆえに、連結部から離れた部分はある程度自由に軸方向（上下方向を意味する）に移動可能であり、かつそれとは独立して、径方向（横方向を意味する）に移動可能である。移動自在の一方の端部を有し、ドラムハウジングに連結された他方の端部を有する可撓性密封部材を使用することにより、良好なシールが得られることが保証される。密閉部材は実質的に常にドラム本体の外面と良好に接触し、容器の内部からの臭気の逃げを防止するシールが得られることが保証される。
【００１１】
前述の先行技術文献ＵＳ２０１０３０１０５０Ａ１は、両方ともがドラムハウジングに連結された２つの外側端部を有する環状シールの使用を開示することに留意されたい。本文書は、このように移動自在の端部が形成され、より気密のシールが保証されることを記載する。シールは、シールに沿って中間あたりでドラムと接触しているが、シールはその接触点より下にも材料を有しており、それにより、接触エッジまたは接触点がその点より下の材料に起因して可撓性が少なくなる。本発明によれば、シール縁部の下にあるすべての密閉材料が除去され、環状シールの移動自在の外側端部が得られることが好ましく、それはＵＳ２０１０３０１０５０Ａ１には開示されていない。
【００１２】
したがって、本発明によれば、密封部材は２つの外側端部を有し、一方の端部はドラムハウジングに連結され、他方の端部はドラムハウジングから距離を空けて位置する、すなわちドラムハウジングに連結されていない。連結部はドラムハウジングに連結され、密閉部は実質的にドラムハウジングから自由である、すなわち連結部から離れている密閉部の端部はドラムハウジングに連結されていない。
【００１３】
驚くべきことに、外端が自由に移動可能であることを保証することによって、本発明に係る環状シールの運動の自由度が大幅に向上していることが分かった。本発明に係る密閉部は先行技術文献ＵＳ２０１０３０１０５０Ａ１に比べてより高い自由度を有し、密閉部とドラム本体の間で改良された密閉接触を確実にする。これに関して、環状シールとドラムハウジングの間の連結は影響を受けなかったことに留意すべきであり、気密シールを得ることができる。
【００１４】
本発明のさらなる実施の形態は従属請求項の主題である。これらのいくつか、およびそれらの利点は、以下に説明される。
【００１５】
優れた密閉性の特徴をもつ実施の形態では、前記連結部は、前記ドラムハウジングに移動可能に連結される。連結部は好ましくは軸方向に移動可能である。ある実施の形態では連結部は実質的に軸方向にのみ移動可能である。連結部が、好ましくは軸方向に、移動可能にドラムハウジングに連結されているという事実のゆえに、密閉部材もまた全体として、好ましくは軸方向に、ドラムハウジングに対して相対的に移動可能である。このことにより、特にドラム本体を回転させるとき、密閉部材が自分の位置を調整することができるため、密閉部材の密閉性の特徴が高く改善される。
【００１６】
ある特定の実施の形態では、前記連結部が前記ドラムハウジングの溝に摺動可能に収容される。これにより、連結部および密閉部材全体の移動が可能になる。この実施の形態の付加的な特徴は、連結部を取り付けるためにドラムハウジングに穴を設ける必要がないことである。したがって、ドラムハウジングは穴のない連続した表面として製造することができ、臭気の放出の付加的な障壁を生じさせる。
【００１７】
ある実施の形態では、前記密閉部は、前記連結部から前記容器の底に向かって径方向内側に延びる。好ましくは、密閉部は連結部に対して約３０〜６０度の角度で延びる。この角度は好ましくはドラム本体の寸法に適応する。特に密閉部は実質的にドラム本体の接線をなす角度で延びてもよい。
【００１８】
ある実施の形態では、前記密閉部はさらに、前記容器の底から離れる方向（すなわち上方）に径方向内側に延び続ける。その意味では、密閉部は、外側部分並びに外側部分に連結された内側部分を備え、外側部分は連結部に連結し、連結部から容器の底に向かって径方向内側に延びており、内側部分は、容器の底から離れる方向に、さらに径方向内側に延びている。外側部分および内側部分は、環状シールの実質的Ｖ字状の軸断面を画定する。外側部分は、実質的に横方向にドラム本体の外面に向けられている。この部分が可撓性であるという事実のゆえに、ドラム本体の外面の輪郭に密接に従い、外部表面に発生した凹凸もまた正確に密封されるように、それは変形することが可能である。
【００１９】
ある実施の形態では、容器の底から離れる方向に径方向内側に延びる密閉部が当該シールの移動自在の端部を形成する。
【００２０】
ある実施の形態では、密閉部分は連結部だけを用いてドラムハウジングに連結される。
【００２１】
前記ドラム本体は前記ドラムハウジングに摺動可能に連結されてもよい。前記通過位置において前記ドラム本体が重力の影響下で密閉部材に押圧されるように、この摺動可能な連結がなされる。本発明の密閉部材、特に軸方向に移動可能にドラムハウジングと連結された密閉部材と組み合わせることにより、より良い密閉性の特徴が得られる。ある実施の形態では、前記ドラム本体は実質的に球形であり、前記ドラムハウジングの内面は実質的に相補的な形状であり、前記ドラム開口部の外縁は実質的に円形であり、前記密封部材は、前記ドラム本体の実質的に球形の外面と係合する実質的に環状の密封部を有する円環である。
【００２２】
廃棄物装置は、前記ドラム本体が少なくとも前記挿入位置において前記密閉部材に押圧されるように成形される。これはいくつかの方法で構成される。ある実施の形態では、前記ドラム本体が完全に球状ではない形状を有する。その結果、挿入位置においてドラム本体は密閉部材に比較的強く押圧される。別の実施の形態において、または付加的に、前記ドラムハウジングの内面が前記ドラム本体に対して完全に相補的でない形状を有する。この場合、ドラムハウジングおよびドラム本体の組合せがドラム本体を密閉部材に押しつける。別の実施の形態では、前記ドラム本体が前記ドラムハウジングに中心から外れた方法で連結される。この場合、ドラム本体の回転運動により、密閉部材により強く押しつけられる結果となる。ある実施の形態では、当該廃棄物装置はさらに前記容器上に収容されるように配置された蓋を含み、前記蓋は、前記容器に廃棄物を供給するための蓋開口部を含み、前記ドラムハウジングは、前記蓋が前記容器上に配置されたとき、少なくとも部分的に前記ドラム本体を囲み、前記搬送容器は前記挿入位置において前記蓋開口部と位置合わせされる。
【００２３】
さらなる実施の形態では、前記廃棄物装置は、袋状容器を前記ドラム開口部に位置合わせするための袋ホルダ手段をさらに含む。
【００２４】
前記袋ホルダ手段は、ホルダ開口部を有するホルダハウジングを含んでもよく、前記ホルダハウジングは前記容器に連結され、前記ホルダ開口部は、前記ドラム開口部と位置合わせされる。
【００２５】
前記ドラム開口部は、ある実施の形態では前記ドラム開口部から前記容器の底に向かって延びる壁を含み、前記壁は、前記ホルダ開口部によって形成されるホルダの縁に係合する。その結果、袋状容器は壁とホルダのエッジの間に位置するようになる。
【００２６】
本発明のさらなる特徴および利点は、添付の図面を参照して考慮されたとき、その説明が進むにつれて明らかになるであろう。以下の図面において、本発明を実施するために現在考えられるベストモードを図示する。
【図面の簡単な説明】
【００２７】
【図１】おむつバケツの実施の形態において、本発明の廃棄物処理装置の斜視図である。
【図２Ａ】挿入位置における、図１のおむつバケツの断面における側面図である。
【図２Ｂ】通過位置における、図１のおむつバケツの断面における側面図である。
【図３】図２Ａに示される挿入位置における、図１のおむつバケツの密閉部材の断面における拡大側面図である。
【図４】密閉部材の軸断面における拡大図である。
【図５】蓋の開いた図１のおむつバケツの実施の形態における、本発明の廃棄物処理装置の斜視図である。
【図６】図１のドラムハウジングおよびドラム本体の分解組立斜視図である。
【図７】ドラムハウジングおよびドラム本体のアセンブリを示す、廃棄物処理装置の分解組立斜視図である。
【図８】図１のおむつバケツのドラム本体の分解組立斜視図である。
【図９Ａ】袋ホルダ手段の断面における側面図である。
【図９Ｂ】図９Ａに示された袋ホルダ手段の断面における拡大側面図である。
【発明を実施するための形態】
【００２８】
図面を参照すると、本発明のおむつバケツ（ペール）は、図１〜図９において符号１０で一般的に示されている。このおむつバケツはＵＳ２０１０３０１０５０に記載されているものと非常に類似していることに留意されるべきであり、その文書は参照により本明細書に組み込まれる。おむつバケツの基本的な部分の説明については、読者はこの文書を参照されたい。
【００２９】
また、一般に、以下の説明において、おむつバケツが参照される。本発明は、使用される廃棄物の種類に関係なく、他の廃棄物処理装置に適用可能であることが当業者には明らかであろう。その意味では、廃棄物処理装置は、一般に廃棄物に適している。
【００３０】
図１に示される廃棄物処理装置１０は、おむつバケツ１０の形態において、一般的に符号１２で示される容器を含む。この容器は底２４および外周壁２６を有する。バケツ１２は概ね楕円形の形状であり、閉底壁２４、上方に延びる側壁２６および開口頂部をもち、容器開口部を画定する。脚２８はバケツ１２の前面下部に設けられており、その結果、ユーザは脚２８を踏んでバケツ１２を安定させ、使用中に転倒を防止することができる。図２に示されるように、バケツ１２は、バケツ１２内に吊されている従来の台所サイズのごみ袋２２を収容する大きさである。容器１２の底２４から離れた外周壁２６の端部は、廃棄物を容器１２の内部容積内に入れることができるような、容器の開口部を画定する。
【００３１】
図１に示されるように、装置１０は、カバー部材１６又は蓋１６が設けられる。このカバー１６は容器開口部の上に設けられ、容器１２の周側壁２６に連結される。カバー部材１６は、容器から除去することができるように、容器１２に取り外し可能に連結される。図示の実施の形態では、カバー部材１６はヒンジ３４の周りに旋回できるように回動可能に容器１２に連結される（図５参照）。この目的のために、いくつかのタブ３６、５２、ボタン４０が設けられており、後に詳細に説明される。
【００３２】
図１を再び参照する。カバー部材１６は、おむつ２０または一般に任意の廃棄物の通過を可能にする寸法のカバー開口部４４を有する上部壁４２を備える。ドラムアセンブリ１８はカバー部材の内部に設けられる。このドラムアセンブリ１８は、実質的に容器開口部を閉じるために使用することができる閉鎖手段の一部を形成する。閉鎖手段は、臭気の放出が防止されるように配置される。閉鎖手段は、回動自在にカバー部材１６に連結されたドラム本体を含み、このドラム本体は、車軸１１８によってカバー部材１６に連結されたアクチュエータハンドル１１６を用いてユーザにより回動させることができる。
【００３３】
廃棄物処理装置１０の機能を図２ａ及び図２ｂを用いて説明する。これらの図は、図１のおむつバケツ１０の断面図を示す。対応する部分はそれぞれの符号が設けられていることに留意されたい。
【００３４】
図２ａは、底壁２４および上方に延びる周壁２６をもつ容器１２を有し、また、底２４から離れた端部において容器の開口部を有する、廃棄物処理装置１０を示す。容器の上にはカバー部材１６が設けられる。袋ホルダ手段３２は、袋２２を保持するために容器１２の開口部近傍に設けられる。袋には廃棄すべきおむつ２０’が含まれる。袋ホルダ手段３２は、容器開口部に沿った開口部を画定する。ドラムアセンブリ１８は、容器開口部の上に設けられ、袋ホルダ手段３２より上方に設けられる。
【００３５】
ドラムアセンブリ１８は、廃棄装置の内部に設けられたドラムハウジング５８を含み、当該ドラムハウジングはドラムハウジングの縁７２によって定義されるドラム開口部を有する。ドラム開口部は、容器１２の内部に面するように、容器開口部と位置合わせされる。
【００３６】
ドラムアセンブリ１８は、ドラムハウジング５８の内面５８に少なくとも部分的に密接に連結された外面７８を有するドラム本体７８を含む。ドラム本体１８は、周壁１８２によって画定された廃棄物輸送容器を備える。この周壁はドラム本体の外面７８から内側に延びて廃棄物輸送容器の底部１８１で終わる。ドラム本体７８はアクチュエータハンドル１１６によって挿入位置（図２ａに示す）と通過位置（図２ｂ）の間で旋回可能である。挿入位置では、廃棄物を搬送容器１８１、１８２に入れることができる。通過位置では、搬送容器１８１、１８２は、搬送容器内に存在する任意の廃棄物が容器内に存在する袋に搬送されるように、ドラム開口と位置合わせされる。
【００３７】
本発明によれば、袋の内側から周囲への臭気の放出を防止するために、可撓性密閉（シール）部材６４が設けられる。密閉部材６４は、ドラムハウジング５８のドラム開口の周縁７２の周りに延びる。本発明の密閉部材は、さらに図３及び図４に関連して説明される。
【００３８】
最初におむつバケツ１０の一般的な機能について説明する。使用時には、おむつなどのごみを廃棄したいユーザは、図２ａ（挿入位置）に示す位置におむつを確実に配置する。ユーザは、アクチュエータハンドルを容器１２の背面側に移動することによって、これを行うことができる。この状況では、搬送容器１８１、１８２は、カバー開口部４４に沿ったものであり、ユーザは、搬送容器１８１、１８２内部におむつ２０を廃棄することができる。
【００３９】
次に、ユーザは、アクチュエータハンドル１１６をおむつバケツ１０の前方に回動させることにより、ドラムハウジング５８に対してドラム本体７８を旋回させる。ドラム本体と搬送容器の開口部はその後、図２ｂに示す位置に向かって旋回移動する。図２ｂに示した通過位置において、搬送容器１８１、１８２は、搬送容器内に存在する任意の廃棄物が容器内に存在する袋に搬送されるように、ドラム開口と位置合わせされる。
【００４０】
ドラム本体の移動中や通過位置と挿入位置の両方において、密閉部材は、密閉した方法でドラム本体の外面に係合し、そのため周辺への臭気の放出が防止される。
【００４１】
図３において参照符号６４で一般的に示される密閉部材の軸方向の断面を示す図４において見られるように、密閉部材６４は、径方向外側に配置されている連結部９４、１１０、ならびに連結部９４、１１０から径方向内向きに延びている密閉部９８、１０４、１００を含む。本発明によれば、連結部９４から離れている密閉部材の端部１０４は自由に移動可能である。密閉部材６４の移動自在の外端１０４が形成されるように、連結部９４、１１０から離れている密閉部９８の端部１０４はドラムハウジングには連結されていない。密閉部９８は連結部９４の上部１０２に連結（符号１００）された可撓性部分であるという事実のゆえに、連結部９４から離れた部分１０４は、かなりの程度まで自由に、正および負の軸方向（矢印Ａ）に移動可能であり、それとは独立に、正および負の径方向（矢印Ｒ）に移動可能である。好ましくは、密閉部材の径方向に最も内側の部分は、ドラム本体と接触することによって、密閉縁部を形成する自由端となる。
【００４２】
密閉部材は、優れた可撓特性を有し、事実上頑丈であるという理由から、低密度ポリエチレン（ＬＤＰＥ）からなる。また、それは、希釈酸、濃縮酸、アルコール、塩基、エステルに耐性であるため、洗浄しても問題が生じない。ＴＰＥのような他の材料も考えられる。
【００４３】
本発明に係る密閉部材の材料（ＬＤＰＥ）と組み合わせた形態は、自己反発の特性を保証し、これによりドラム本体にぴったりはまることが保証される。これらの特性を得るために他の材料を使用することもできる。組み立てられた状態では、可撓性シール部材は、図３に示すような位置をとる。図３は、図２ａに示されるおむつバケツの詳細を示し、ここではおむつバケツは挿入位置にある。図３は、容器の底部に向かって延び、袋ホルダ開口部の縁部を規定するフランジ３３を有する袋ホルダ手段１４を示す。袋ホルダ開口部内には袋２２の上部が配置されている。袋自体が袋ホルダ手段１４に連結されてもよく、これは後述する。袋２２の上部の内側には、ドラムハウジングの下方突出首部７４が容器の底部に向かって延びている。首部７４は袋ホルダ開口部と比較的ぴったりとはまり、その結果、臭気の放出を防止するように袋２２の上部（存在する場合）自身が当該部分７４とフランジとの間にしっかりと封入される。これをより詳細かつ簡略化した図を図９ａおよび９ｂに示す。図９ａは、袋ホルダ手段に取り付けられた袋２２とともにドラムハウジング６０の側面図を示す。図９ａに「Ａ」として参照される構成の明らかな詳細が図９ｂに示される。ここでは、袋２２は、フランジとドラムハウジング６０との間にぴったりとはまっていることが分かる。この目的のために、首部７４の端部または好ましくはフランジ３３の端部には、首部７４またはフランジ３３の他方に係合する肉厚部３０を設けてもよい。肉厚部３０は、好ましくは比較的可撓性のある部分である。
【００４４】
再び図３を参照すると、首部７４の上端部には密閉部材６４が設けられていることが分かる。連結部９４は、二つのフランジ状部分１０６、１０８の間に配置される。なお、図示の実施の形態では、連結部がフランジ状部分に固定的に連結されていないことに留意されたい。むしろ、連結部は、フランジ状部分１０６、１０８に少なくともある程度は自由に移動可能である。ここに示される実施の形態は、図４の矢印Ａで示すように、軸方向の移動を可能にする。径方向外側フランジ状部分１０８は、ドラムハウジング６０内で上方に続いている。ドラム本体７６，７８はドラムハウジング６０の内面に旋回可能に設けられる。図３でわかるように、密閉部材６４、または少なくともその密閉部分９８は、ドラム本体７８の外面に係合する。図示された状況では、可撓性密閉部材６４は、図３にはこの変形は示されていないが、弾性的に変形（圧縮）することにより、ドラム本体およびドラムハウジングの様々な部分の外面に非常によく適合することに留意されたい。ドラムハウジング６０に連結されていない、移動自在の外端部を有する密閉部材がこれを可能にする。このように、事実、容器の底部から離れる方向に上方に延びる密閉部材６４の径方向内側の端部１０４は、ドラム本体７８の外周面に接触している。
【００４５】
図３に示されるように、密閉部材６４の密閉部分９８の径方向内側の端部１０４はドラムハウジング７４、１０６、１０８に連結されておらず、この自由端１０４はドラムハウジングに関して自由に移動できるように、ドラムハウジングから距離を空けて位置する。ドラム本体の外面との接触が確保され、また、良好な密閉接触を維持しながらドラム本体の容易な移動を可能にするため、この可撓性は、密閉部材に改善された密閉機能を提供する。これは、上記のように密閉部材の連結部が固定的にドラムハウジングに連結されておらず、移動可能にされている場合に特に当てはまる。
【００４６】
好ましくは、密閉部材６４は、連結部と密閉部によって形成された「Ｖ」の脚部をもつ、実質的にＶ形状の断面を備える。実施の形態において、密閉部材６４は、実質的にＶ字形の断面のみからなり、Ｖ字形状は矩形の密閉部と矩形の連結部だけで形成されてもよい。Ｖの一方の脚（連結部）は、その後ドラムハウジングに、実施の形態ではスライド可能な方法で連結される。Ｖの他方の脚部（密閉部）は、その後ドラムハウジングへ連結されず、移動自在にされる。角度（平角以外）がそれら二つの部分の間に形成されるが、この角度は、他の値も考えられるが、好ましくは３０度と６０度の間である。
【００４７】
バケツ１２内からおむつの完全な袋を除去するために、カバー部材は、タブ３６を持ち上げることにより図５に示す開位置に向けて回動させることができる。開位置では、袋ホルダ手段１４が露出している。袋ホルダフレーム１４は、プラスチック廃棄袋２２が収容される中央の円形開口部３０をもつほぼ正方形の本体部を有する。フレーム１４の本体の後縁部は、バケツ１２の後壁２６の内側に支持された嵌合ヒンジに回転可能に取り付けられているヒンジ本体を含む。フレーム１４の前縁部は、バケツ１２の前壁の上に下方に延びる可撓性タブ３６（図１も参照）を含む。タブ３６は小さな円形開口を含み、バケツ１２の前壁２６内に搭載されたばね仕掛けの円形ボタン４０の上に収容される（図１も参照）。ボタン４０が選択的に押し下げられると、タブ３６が解放され、フレーム１４はバケツ１２から袋２２の全体を除去するために上向きに旋回される。閉位置に戻ると、円形の開口部３８内にボタン４０がはまるまでタブ３６はボタン４０の上をスライドする。
【００４８】
図５は、カバー部材１６または上部筐体１６の詳細を示す。上部筐体１６は、おむつ２０を通過させることのできる寸法の円形開口部４４をもつ上部壁４２を有する。バケツの側壁２６の上端周縁部４８に嵌合し、バケツ１２の内部を閉鎖するように、上壁４２の下側周縁部４６は成形される。袋ホルダフレーム１４と同様に、上部筐体１６の上壁４２の後端部はバケツ１２の後壁に回動可能にヒンジ止めされたヒンジ本体を含む。事実、上部筐体１６と袋ホルダフレーム１４は、同一のヒンジ軸ＨＡを共有することが好ましい。上部筐体１６の前端部はまた、バケツ１２の前壁においてばね仕掛けのボタン４０の上に収容される円形開口部５４を含む可撓性タブ５２を含む。このようにしてばね仕掛けのボタン４０は、閉位置において枠１４と上部筐体１６の両方を解除可能に保持する。
【００４９】
筐体１６の上壁４２は、実質的にすべての筐体構造にわたって実質的に滑らかで連続的な外面を備えていることが指摘される。この設計上の特徴は、実際の使用時にバケツ１０内に汚れたおむつを入れようと試みる実際的な現実を考慮に入れたものである。ユーザは典型的には赤ちゃんを世話することに気を取られており、慎重に開口部４４におむつを挿入する行為に十分な注意を払うことができない場合がある。バケツ１０の使用中に汚れたおむつが筐体１６の外面に接触する可能性がおそらく非常に高い。したがって、バケツ１０の適切な維持及び使用のためにこの領域を容易に検査し、洗浄できる能力を提供することが重要な考慮事項である。上記に示したように、実質的に滑らかで連続的な外面は、臭気をバケツから脱出させうる外面上の穴や隙間を最小数にする一方で、おむつが挿入される場所に隣接する領域において容易に検査され洗浄される外面も提供する。
【００５０】
図６を参照する。ドラムアセンブリ１８は一般に、上側ドラムハウジング部５８と下側ドラムハウジング部６０を含むツーピースドラムハウジングと、ツーピース球状ドラム本体６２、および本発明の教示に従って構成された可撓性環状シール６４を有する。上側ドラムハウジング部５８と下側ドラムハウジング部６０は、部品を互いに連結するためのフランジ６６，６８が設けられる。連結するための他の手段を適用することができるが、ネジ８９がこの目的のために提供される。上側下側両方のドラムハウジング部は凹み部８６、８８を有し、これは、回転ハンドル１１６に連結されるべきドラム本体６０の外方に突出した回転部材８２を受け取るように成形される（図１参照）。
【００５１】
図７は、おむつバケツ１０へのドラムアセンブリ１８の組立を示す。上側ドラムハウジング部５８は、カバー部材１６の内側に配置される。ドラム本体７６、７８は、重力の影響下でドラム本体が通過位置において密閉部材６４に向かって移動するように、上側ドラム収容部５８内に摺動可能に移動可能である。より詳細な図は、図８に見ることができる。
【００５２】
図８はドラム本体６２のより詳細を示し、ドラム本体６２が二つの半球状の部分７６，７８から構成されることを示す。上側部分は搬送容器１８１を含む。下側部分７６は、ねじ２８２等により上側部部分に取り付けられてもよい。半球７６、７８の連結箇所に、側方に延びる突起部８２が表示されているが、これはハンドル１１６に連結される回転部材８２の溝１８２に収容されるべきものである。
【００５３】
図７を再び参照する。ドラム本体の表面から突出したガイド部材８２は、ドラムハウジング部５８に設けられた凹状ガイド１８２に移動される。ガイド部材８２は、ドラムが一方向にのみ挿入することができるように、例えば上下逆の配置ができないように配置されている。図１に示すように、凹状ガイドは軸１１８の一部を形成する。アクチュエータハンドル１１６を回転させることによって、ドラム本体もまたこのように回転し、これによって、ドラム本体は、挿入位置から通過位置へ移動可能である。次にシール部材６４とともに下側ドラムハウジング部６０がその上に配置され、二つのドラムハウジング部の間でドラム本体を囲んでもよい。ドラムハウジング部は、図６に示すように、回転ねじ８９によって連結されてもよい。回転ねじ８９は部品を取り付け、または取り外すために簡単かつ迅速な方法を提供しているが、他の必要な手段によって連結されてもよい。ドラム本体７６、７８はハウジング内で自由に移動可能に存在しており、その意味でガイド部材８２のゆえに若干の並進運動がガイド部材８２に沿った方向に可能であることに留意されたい。おむつバケツが通過位置にあるとき、これはシール部材６４にわずかな圧力が加わることを保証する。
【００５４】
本発明を具体化するある特定の構成がここでは示され記述されたが、内在する発明概念の趣旨および範囲から逸脱することなく、部品の様々な変更および再構成をなすことができること、また、本発明は、添付の請求項の範囲によって示される場合を除き、ここに示され記述された特定の構成に限られるものではないことは、当業者には明らかであろう。
【図１】
0006335177.tif 000002
【図２ａ】
0006335177.tif 000003
【図２ｂ】
0006335177.tif 000004
【図３】
0006335177.tif 000005
【図４】
0006335177.tif 000006
【図５】
0006335177.tif 000007
【図６】
0006335177.tif 000008
【図７】
0006335177.tif 000009
【図８】
0006335177.tif 000010
【図９ａ】
0006335177.tif 000011
【図９ｂ】
0006335177.tif 000012